(57)【要約】      （修正有）【課題】建方クレーンの拘束が少なく仮設設備の大幅な低減が出来、安全性・経済性の向上、ならびに工期の短縮を実現できる構築方法を提供する。【解決手段】塔体１の外面にリフトアップのためのガイド機能を有した強固なリフトアップガイド４を設置し、その直上にリフトアップ設備を設置し、このリフトアップガイドを昇降可能なリフトアップ架台８を設け、リフトアップ架台と連結可能な水平回転軌条９ａ，９ｂを予め塔体の上部に設け、展望台等の上部構造体をブロックに分割地組して、各上部構造体分割ブロック２１毎にリフトアップ架台とともにリフトアップを行った後、リフトアップ架台と水平回転軌条を連結し、該水平回転軌条に沿って分割ブロックを移動し、これら分割ブロックのリフトアップ・水平回転移動を繰り返し、分割ブロックを相互に連結して上部構造体２を組み立てる。【選択図】図１
2008202289.tif 000002
【特許請求の範囲】
【請求項１】
塔体外面にリフトアップのためのガイド機能を有したガイドフレームを設置し、その直上にリフトアップ設備を設置し、また、このガイドフレームに昇降可能なリフトアップ架台を設け、さらに、リフトアップ架台と連結可能な水平回転軌条を予め塔体上部に設け、
展望台等の上部構造体をブロックに分割地組して、各上部構造体分割ブロック毎にリフトアップ架台とともにリフトアップを行い、
リフトアップ後、リフトアップ架台と水平回転軌条を連結し、該水平回転軌条に沿って分割ブロックを移動し、
これら分割ブロックのリフトアップ・水平回転移動を繰り返し、分割ブロックを相互に連結して上部構造体を組み立てることを特徴とした塔状構造物の構築方法。
【請求項２】
リフトアップ後、水平回転軌条に沿っての水平回転移動操作は水平ジャッキを用いて行う請求項１記載の塔状構造物の構築方法。
【発明の詳細な説明】
【技術分野】
【０００１】
本発明は、上部構造体として観光目的の展望台を設けたタワーや上部に居住空間を形成するタワー等の構造物である塔状構造物の構築方法に関するものである。
【背景技術】
【０００２】
タワー構造物では上部構造体として展望台を設けることが多々あり、観光を目的としたものと、放送機能を主にしたものとに分類される。
【０００３】
観光タワーの場合は、モニュメント的な形状をした複雑な構造が多く、展望室は構造部内に収まるように配置していることが多い。
【０００４】
放送機能を有したタワーの場合は、４角錐形状に類似した比較的シンプルな構造で、展望室は地上から約２／３程度の高さに配置され、大きな張り出し構造の収まりになっているものが多い。従って、展望台の構造に対する施工難易度が高く、高度な技術が要求される。
【０００５】
上部構造体である展望台の構築方法として、定位置まで単材で組み立てる在来工法と、タワー基部をドーナツ形状に地組し、外装仕上げまで施した後、所定位置まで吊り上げるリフトアップ工法とに分かれる。
【０００６】
図８、図９は展望台付きタワーの一例を示すもので、図中１は塔体であり、２は展望台等の上部構造体である。
【０００７】
前記リフトアップ工法は、図１０、図１１に示すように、塔体１を先に立ち上げ、作業足場・支保工３で上部構造体２を地上でドーナツ形状に地組し、外装仕上げまで施す。
【０００８】
塔体１にはリフトアップガイド４を取り付けてあり、また、頂部にはリフティングジャッキ５を設けて、これで上部構造体２を所定位置まで吊り上げる。
【０００９】
下記特許文献１は、リフトアップ工法の一つとして、下方から上方に向けて細くなる塔状建造物において、該塔状建造物の上端の張出し構造部を構成する複数の分割体をそれぞれ地上で形成し、該分割体を該塔状建造物の下端部回りに所定間隔で配置し、該複数の分割体を同時に塔状建造物に沿って吊り上げ、該複数の分割体相互の間隔が上方に向かうにしたがって徐々に狭まり塔状建造物上端で最小になるように調整しながら上昇させ、該複数の分割体を塔状建造物上端で一体に連結して張出し構造部を形成することを内容としている。
【特許文献１】特開２０００−２８２７１３号公報
【００１０】
この特許文献１のリフトアップ工法によれば、下端から上端に向けて細くなっている塔状建造物の張出し構造部においても適用可能なものとなる。
【発明の開示】
【発明が解決しようとする課題】
【００１１】
前記定位置まで単材で組み立て在来工法には下記の欠点があり、総合的にデメリットが多い。
（１）  高所での足場組払い・鉄骨組み立て・仕上げ作業となり、非常に危険性が高く、作業効率が悪い。
（２）  鉄骨部材吊り上げ・組立並びに仮設資機材等の揚重作業として、タワー建方クレーンを使用するため、展望台から頂部までタワー建方が遅れ、全体工期に影響を及ぼす。
（３）  強風等による飛来落下防止設備などの安全対策が大掛かりとなり、費用がかかり経済性が劣る。
【００１２】
リフトアップ工法は、タワー基部の外周廻りに、展望台を地組し、外装仕上げまで施した後、タワー頂部のリフトアップジャッキで所定高さまで吊り上げ、定着する工法であるが、４角錐形状の場合は、基部が末広がりになっており、一体型に出来ず、分割形状になり、安定したリフトアップはできない。
【００１３】
特許文献１の場合は、塔状建造物の上端の張出し構造部を構成する複数の分割体を一緒にリフトアップする必要があり、前記図９、図１０に示すリフトアップ工法と大差なく、揚重作業が大掛かりなものとなる。
【００１４】
また、複数の分割体相互の間隔が上方に向かうにしたがって徐々に狭まり塔状建造物上端で最小になるように調整しながら上昇させるが、この前記間隔調整を行うのに、軸部材と係止手段とで行うなどで、調整が面倒で困難である。
【００１５】
なお、下記特許文献２では、分割体の相互の距離を短くするのに、分割体の相互をサーボモータに連結したスクリューシャフトで連結し、タッチセンサーからの検知信号をフィードバックしてサーボモータを駆動するサーボ機構を用いることが提案されているが、モーター制御に高度な技術を必要になる。
【特許文献２】特開平８−３０３０５７号公報
【００１６】
本発明の目的は前記従来例の不都合を解消し、高所作業を低減し、また、展望台等の上部構造体に関わる建方クレーンの拘束が少なく、上部のタワー建方工程に与える悪影響は少なく、また、仮設設備の大幅な低減が出来、安全性・経済性の向上、ならびに工期の短縮を実現できる塔状構造物の構築方法を提供することにある。
【課題を解決するための手段】
【００１７】
前記目的を達成するため請求項１記載の本発明は、塔体外面にリフトアップのためのガイド機能を有したガイドフレームを設置し、その直上にリフトアップ設備を設置し、また、このガイドフレームに昇降可能なリフトアップ架台を設け、さらに、リフトアップ架台と連結可能な水平回転軌条を予め塔体上部に設け、展望台等の上部構造体をブロックに分割地組して、各上部構造体分割ブロック毎にリフトアップ架台とともにリフトアップを行い、リフトアップ後、リフトアップ架台と水平回転軌条を連結し、該水平回転軌条に沿って分割ブロックを移動し、これら分割ブロックのリフトアップ・水平回転移動を繰り返し、分割ブロックを相互に連結して上部構造体を組み立てることを要旨とするものである。
【００１８】
請求項１記載の本発明によれば、地上で展望台等の上部構造体をブロックに分割地組・仕上げ作業まで行うことで、作業性並びに安全性は大きく向上する。また、上部構造体分割ブロック毎にリフトアップ架台とともにリフトアップを行うので、上部構造体に関わる建方クレーンの拘束が少なく、上部のタワー建方工程に与える悪影響は少ない。さらに、水平回転軌条を組み入れたことで、リフトアップ位置を限定でき、ガイドフレームを１本配置することで可能となり、仮設設備の大幅な低減が出来る。これに加えて、ガイドフレームを利用して、荷揚リフト並びに工事用エレベーター・仮設昇降階段など多目的に有効利用することができる。
【００１９】
請求項２記載の本発明は、リフトアップ後、水平回転軌条に沿っての水平回転移動操作は水平ジャッキを用いて行うことを要旨とするものである。
【００２０】
請求項２記載の本発明によれば、水平ジャッキを用いることで、重量物を安全に水平回転移動できる。
【発明の効果】
【００２１】
以上述べたように本発明の塔状構造物の構築方法は、高所作業を低減し、また、上部構造体に関わる建方クレーンの拘束が少なく、上部のタワー建方工程に与える悪影響は少なく、また、仮設設備の大幅な低減が出来、安全性・経済性の向上、ならびに工期の短縮を実現できるものである。
【発明を実施するための最良の形態】
【００２２】
以下、図面について本発明の実施の形態を詳細に説明する。図１は本発明の塔状構造物の構築方法の１実施形態を示す正面図、図２は同上側面図で、展望台付きタワーの一例を示すもので、前記従来例を示す図９、図１０と同じ図中１は塔体であり、２は展望台等の上部構造体である。また、３は作業足場・支保工、４はリフトアップガイドである。
【００２３】
リフトアップガイド４は、塔体１の外面（斜面）に設けるものであり、リフトアップのためのガイド機能を有した強固なガイドフレームである。このリフトアップガイド４は、荷揚リフト並びに工事用エレベーター・仮設昇降階段など多目的に有効利用することができる。
【００２４】
リフトアップガイド４の直上に、リフトアップ設備としてのリフトアップジャッキ６を設置した。リフトアップジャッキ６は図４に示すように上ピン６ａ、下ピン６ｂを伸縮部（可動ビーム）６ｃの上下に設けたパワーリンクシステムによるもので、吊材７としては、リンクチェーン、ワイヤーロープ・ＰＣストランド・ステップロッドなどが利用できる。
【００２５】
図５にリフトアップジャッキ６の巻き上げ手順を示すと、上ピン６ａが３５０mm上昇・リミッター作動・停止し（ステップイ）、→下ピン６ｂを入れ（ステップロ）、→下ピン６ｂが３０mm下降（荷重盛変：上ピン６ａ〜下ピン６ｂ）・上ピン６ａ（抜く）（ステップハ）、→伸縮部（可動ビーム）６ｃ下降・リミッター作動・停止（ステップニ）、→上ピン６ａ入れ（ステップホ）、→３０mm上昇（荷重盛変：下ピン６ｂ〜上ピン６ａ）・下ピン６ｂ（抜く）（ステップヘ）となる。このようなステップイ〜ステップヘの手順を繰り返す。
【００２６】
図中８はガイドフレームであるリフトアップガイド４を昇降可能なリフトアップ架台で、図３に示すように、水平回転軌条９ａ，９ｂの一部水平回転軌条９ａ′，９ｂ′を有し、軌条連結部材１４により軌条部分を連結する。この軌条連結部材１４を用いることにより、リフトアップ架台８の横揺れ防止及びリフトアップ時のクリアランスの確保が可能となる。（鉛直荷重はリフトアップガイド４および吊材７にて保持する。）
【００２７】
前記リフトアップ架台８の水平回転軌条９ａ′，９ｂ′と軌条連結部材１４により仮連結可能な水平回転軌条９ａ，９ｂを予め塔体１の上部に設ける。水平回転軌条９ａ，９ｂには図６に示すように、Ｈ型の鋼材を使用している。
【００２８】
リフトアップ架台８を地上に置き、展望台等の上部構造体２を４〜８ブロック形状に分割した構造体の分割ブロック２１を作業足場・支保工３で地組し、外装仕上げまで行い、このリフトアップ架台８に走行ガイド１０を介して負ぶわせるようにする。
【００２９】
図６に示すように、走行ガイド１０は、水平回転軌条９ａを跨るように凹部１０ａを有し、そこに水平回転軌条９ａの上フランジ面に当接するスライド版１１を配設し、また、水平回転軌条９ａのウエブ側面に当接するガイドローラー１２を設ける。
【００３０】
リフトアップ架台８の下部にも、水平回転軌条９ｂのウエブ側面に当接するガイドローラー１２を設けた。
【００３１】
リフトアップ架台８と分割ブロック２１の連結は、リフトアップ架台８は前記のごとく水平回転軌条の一部を有しているため、後述の水平回転時と同様にスライド版１１とガイドローラー１２にて保持される。
【００３２】
前記リフトアップジャッキ６から吊り下げられた吊材７により、リフトアップ架台８と地組した分割ブロック２１を一体にしたままで、尺取り方式で所定位置まで巻き上げる。
【００３３】
所定高さに到着後、リフトアップ架台８と水平回転軌条９ａ，９ｂの上下を仮連結し、分割ブロック２１を、予め設置した設置した水平回転軌条９ａ，９ｂをガイドに、水平ジャッキ１３を用いて所定位置まで移動する。
【００３４】
図７はその詳細を示すもので、水平ジャッキ１３は水平回転軌条９ａを滑走可能な走行ガイド１０の一方に設けられ、その端にはＨ鋼クランプ装置１５ａ（ジャッキ側）があり、このＨ鋼クランプ装置１５ａ（ジャッキ側）に対応して走行ガイド１０の他方にＨ鋼クランプ装置１５ｂ（固定側）を設ける。
【００３５】
リフトアップ中や強風時・暴風時は、Ｈ鋼クランプ装置１５ａ（ジャッキ側）、Ｈ鋼クランプ装置１５ｂ（固定側）の両方とも締め付ける。
【００３６】
移動に際しては、Ｈ鋼クランプ装置１５ａ（ジャッキ側）を開放し、Ｈ鋼クランプ装置１５ｂ（固定側）を固定して、水平ジャッキ１３のストロークを伸ばす。
【００３７】
次いで、Ｈ鋼クランプ装置１５ａ（ジャッキ側）を締め付け、Ｈ鋼クランプ装置１５ｂ（固定側）を開放する。この状態で水平ジャッキ１３のストロークを縮める。これにより走行ガイド１０は移動する。
【００３８】
その後、Ｈ鋼クランプ装置１５ａ（ジャッキ側）、Ｈ鋼クランプ装置１５ｂ（固定側）ともに締め付け、完了となり、以後、同様な工程を繰り返す。
【００３９】
上記の要領で分割ブロック２１のリフトアップ・水平回転移動を繰り返し、分割ブロック２１の相互を結合して上部構造体２の構築を行う。
【００４０】
以上の実施形態は、展望台付きタワーの場合について説明したが、上部構造体としては、展望台ではなく、居室等の居住部分等でもよい。
【図面の簡単な説明】
【００４１】
【図１】本発明の塔状構造物の構築方法の１実施形態を示す正面図である。
【図２】本発明の塔状構造物の構築方法の１実施形態を示す側面図である。
【図３】本発明の塔状構造物の構築方法の１実施形態を示す平面図である。
【図４】リフトアップジャッキの側面図である。
【図５】リフトアップジャッキの巻き上げ手順を示す説明図である。
【図６】本発明の塔状構造物の構築方法で使用する走行ガイド部分の説明図である。
【図７】水平ジャッキを備えた走行部分の側面図である。
【図８】塔状構造物の一例を示す側面図である。
【図９】塔状構造物の一例を示す平面図である。
【図１０】従来のリフトアップ工法の一例を示す側面図である。
【図１１】従来のリフトアップ工法の一例を示す平面図である。
【符号の説明】
【００４２】
１…塔体                                  ２…上部構造体
３…作業足場・支保工                      ４…リフトアップガイド
５…リフティングジャッキ                  ６…リフトアップジャッキ
６ａ…上ピン                              ６ｂ…下ピン
６ｃ…伸縮部（可動ビーム）
７…吊材                                  ８…リフトアップ架台
９ａ，９ｂ…水平回転軌条                  ９ａ´，９ｂ´…水平回転軌条
１０…走行ガイド                          １０ａ…凹部
１１…スライド版                          １２…ガイドローラー
１３…水平ジャッキ                        １４…軌条連結部材
１５ａ…Ｈ鋼クランプ装置（ジャッキ側）
１５ｂ…Ｈ鋼クランプ装置（固定側）
２１…分割ブロック
【図１】
2008202289.tif 000003
【図２】
2008202289.tif 000004
【図３】
2008202289.tif 000005
【図４】
2008202289.tif 000006
【図５】
2008202289.tif 000007
【図６】
2008202289.tif 000008
【図７】
2008202289.tif 000009
【図８】
2008202289.tif 000010
【図９】
2008202289.tif 000011
【図１０】
2008202289.tif 000012
【図１１】
2008202289.tif 000013